【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
粘着性ラミネートであって、
第１と第２の外側表面を有するシート層であって、不織布、織布、不織布−フィルムラミネート、織布−フィルムラミネート、フィルム、紙−フィルムラミネートおよびこれらの複合体からなる群から選択される少なくとも１つの層を含むシート層と、
前記シート層の前記第１の外側表面上の少なくとも１つの多層コーティングであって、前記シート層の前記第１の外側表面に隣接する第１の金属コーティング層と、前記金属層上に付着した有機ポリマー、有機オリゴマー、化合物およびこれらの組み合わせからなる群から選択される材料を含有する組成の外側有機コーティング層とを含む多層コーティングと、
前記シート層の前記第２の外側表面をコートする接着層と、
前記シート層と反対の前記接着層の側で、前記接着層を覆う任意の剥離層とを含み、
前記多層コーティングでコートされた前記シート層がクレープ加工されていて、前記ラミネートの輻射率が０．４０以下である粘着性ラミネート。
【請求項２】
前記第１の金属コーティング層の厚さが１５ｎｍ〜２００ｎｍであり、前記外側有機コーティング層の厚さが０．２マイクロメートル〜５マイクロメートルである請求項１に記載の前記粘着性ラミネートを含む粘着性雨仕舞材料。
【請求項３】
建物窓割り枠のフランジと、前記フランジに隣接する壁部分の組み合わせにおいて、請求項２に記載の前記粘着性雨仕舞材料が、前記フランジと前記隣接する壁部分により形成された継目を覆ってシールする関係で配置されており、前記接着層が、前記フランジと前記隣接する壁部分を係合しており、前記フランジと隣接する壁部分を係合する前に、前記任意の剥離層が除去されて、前記接着剤が露出される組み合わせ。
【請求項４】
建築バリアであって、
第１と第２の外側表面を有するシート層であって、不織布、織布、不織布−フィルムラミネート、織布−フィルムラミネート、フィルム、紙−フィルムラミネートおよびこれらの複合体からなる群から選択される少なくとも１つの層を含むシート層と、
前記シート層の前記第１の外側表面上の少なくとも１つの多層コーティングであって、前記シート層の前記第１の外側表面に隣接する、厚さが１５ｎｍ〜２００ｎｍの第１の金属コーティング層と、前記金属層上に付着した、厚さが０．２マイクロメートル〜５マイクロメートルの有機ポリマー、有機オリゴマー、化合物およびこれらの組み合わせからなる群から選択される材料を含有する組成の外側有機コーティング層とを含む多層コーティングとを含み、
前記多層コーティングでコートされた前記シート層がクレープ加工されていて、
クレープ加工された建築バリアの輻射率が０．４０以下である建築バリア。
【請求項５】
建物の壁部分に取り付けられた周囲フランジを備えた建物窓割り枠をシールする方法であって、
ａ）請求項３に記載の粘着性雨仕舞材料を提供し、前記任意の剥離層を除去して前記接着層を露出する工程と、
ｂ）前記窓割り枠の前記周囲フランジの一部および前記隣接する壁部分の表面を覆ってシールする関係で前記粘着性雨仕舞材料を適用して、前記枠の端部と前記壁部分の隣接する表面により形成された継目を前記接着層によってシールして、前記窓枠の前記フランジと前記隣接する壁部分を係合し、ここで前記多層コーティングが前記接着層に対して外側を向いている工程と
を含む方法。
【手続補正２】
【補正対象書類名】明細書
【補正対象項目名】００５３
【補正方法】変更
【補正の内容】
【００５３】
表2
2009527386.tif 000001
次に、本発明の好ましい態様を示す。
1.  粘着性ラミネートであって、
第１と第２の外側表面を有するシート層であって、不織布、織布、不織布−フィルムラミネート、織布−フィルムラミネート、フィルム、紙−フィルムラミネートおよびこれらの複合体からなる群から選択される少なくとも１つの層を含むシート層と、
前記シート層の前記第１の外側表面上の少なくとも１つの多層コーティングであって、前記シート層の前記第１の外側表面に隣接する第１の金属コーティング層と、前記金属層上に付着した有機ポリマー、有機オリゴマー、化合物およびこれらの組み合わせからなる群から選択される材料を含有する組成の外側有機コーティング層とを含む多層コーティングと、
前記シート層の前記第２の外側表面をコートする接着層と、
前記シート層と反対の前記接着層の側で、前記接着層を覆う任意の剥離層とを含み、
前記多層コーティングでコートされた前記シート層がクレープ加工されていて、前記ラミネートの輻射率が０．４０以下である粘着性ラミネート。
2.  前記シート層の第１の外側表面と前記第１の金属コーティング層との間に配置され、厚さが０．０２マイクロメートル〜２マイクロメートルの有機ポリマー、有機オリゴマー、化合物およびこれらの組み合わせからなる群から選択される材料を含有する組成の中間有機コーティング層を含む上記１に記載の粘着性ラミネート。
3.  前記粘着性ラミネートが、２８日間キセノンＵＶ露光試験後、実質的な劣化を示さない上記１に記載の粘着性ラミネート。
4.  前記ラミネートが、厚さ方向にしわが実質的にない上記１に記載の粘着性ラミネート。
5.  クレープ加工のない前記多層コーティングでコートした同じシート層の前記輻射率の２倍以下の輻射率を有する上記１に記載の粘着性ラミネート。
6.  前記多層コーティングが、前記第１の金属コーティング層と前記外側有機コーティング層との間に、厚さが１０ｎｍ未満の金属酸化コーティング層をさらに含む上記１または２に記載の粘着性ラミネート。
7.  前記シート層が、フラッシュスパン不織布、スパンボンド不織布およびスパンボンド−メルトブローン−スパンボンド不織布からなる群から選択される少なくとも１つの不織布を含む上記１または２に記載の粘着性ラミネート。
8.  前記不織布が、フラッシュスパンポリエチレン不織布である上記８に記載の粘着性ラミネート。
9.  前記金属層の前記金属が、アルミニウム、銀、金、銅、錫、亜鉛、ケイ素、スカンジウム、チタン、バナジウム、クロム、マンガン、コバルト、ニッケル、イットリウム、ジルコニウム、ニオブ、モリブデン、インジウムおよびこれらの合金からなる群から選択される上記１または２に記載の粘着性ラミネート。
10.  前記接着層が、ブチルゴム、ポリイソブチレン、ビチューメン、アクリル、ホットメルト接着剤、エチレンプロピレンゴムおよびゴム入りアスファルトからなる群から選択される上記１または２に記載の粘着性ラミネート。
11.  前記第１の金属コーティング層の厚さが１５ｎｍ〜２００ｎｍであり、前記外側有機コーティング層の厚さが０．２マイクロメートル〜５マイクロメートルである上記１または２に記載の粘着性ラミネート。
12.  前記外側有機コーティング層が、架橋ポリアクリレートおよびフッ素化アクリレートオリゴマーからなる群から選択される材料を含有する上記１または２に記載の粘着性ラミネート。
13.  引張り強度が少なくとも３０Ｎ／ｃｍである上記１または２に記載の粘着性ラミネート。
14.  上記１１に記載の前記粘着性ラミネートを含む粘着性雨仕舞材料。
15.  建物窓割り枠のフランジと、前記フランジに隣接する壁部分の組み合わせにおいて、上記１４に記載の前記粘着性雨仕舞材料が、前記フランジと前記隣接する壁部分により形成された継目を覆ってシールする関係で配置されており、前記接着層が、前記フランジと前記隣接する壁部分を係合しており、前記フランジと隣接する壁部分を係合する前に、前記任意の剥離層が除去されて、前記接着剤が露出される組み合わせ。
16.  前記壁部分が、耐水性バリアでカバーされており、前記耐水性バリアが前記窓割りフランジの下にある上記１５に記載の組み合わせ。
17.  前記耐水性バリアが、金属化された第２のシート層を含み、前記第２のシート層が、不織布、織布、フィルム、不織布−フィルムラミネート、織布−フィルムラミネートおよびこれらの複合体からなる群から選択される上記１６に記載の組み合わせ。
18.  建築バリアであって、
第１と第２の外側表面を有するシート層であって、不織布、織布、不織布−フィルムラミネート、織布−フィルムラミネート、フィルム、紙−フィルムラミネートおよびこれらの複合体からなる群から選択される少なくとも１つの層を含むシート層と、
前記シート層の前記第１の外側表面上の少なくとも１つの多層コーティングであって、前記シート層の前記第１の外側表面に隣接する、厚さが１５ｎｍ〜２００ｎｍの第１の金属コーティング層と、前記金属層上に付着した、厚さが０．２マイクロメートル〜５マイクロメートルの有機ポリマー、有機オリゴマー、化合物およびこれらの組み合わせからなる群から選択される材料を含有する組成の外側有機コーティング層とを含む多層コーティングとを含み、
前記多層コーティングでコートされた前記シート層がクレープ加工されていて、
クレープ加工された建築バリアの輻射率が０．４０以下である建築バリア。
19.  前記シート層の前記第１の外側表面と前記第１の金属コーティング層との間に配置され、厚さが０．０２マイクロメートル〜２マイクロメートルの有機ポリマー、有機オリゴマー、化合物およびこれらの組み合わせからなる群から選択される材料を含有する組成の中間有機コーティング層を含む上記１８に記載の建築バリア。
20.  建物の壁部分に取り付けられた周囲フランジを備えた建物窓割り枠をシールする方法であって、
ａ）上記１５に記載の粘着性雨仕舞材料を提供し、前記任意の剥離層を除去して前記接着層を露出する工程と、
ｂ）前記窓割り枠の前記周囲フランジの一部および前記隣接する壁部分の表面を覆ってシールする関係で前記粘着性雨仕舞材料を適用して、前記枠の端部と前記壁部分の隣接する表面により形成された継目を前記接着層によってシールして、前記窓枠の前記フランジと前記隣接する壁部分を係合し、ここで前記多層コーティングが前記接着層に対して外側を向いている工程と
を含む方法。
21.  前記壁部分が耐水性バリアでカバーされており、前記耐水性バリアが前記窓割りフランジの下にある上記２０に記載の方法。
22.  前記耐水性バリアが、金属化された第２のシート層を含み、前記第２のシート層が、不織布、織布、フィルム、不織布−フィルムラミネート、織布−フィルムラミネートおよびこれらの複合体からなる群から選択される上記２１に記載の方法。